(57)【要約】【課題】  煩雑な手順を行うことなく、操作手順を大幅に簡略化し、ユーザの操作負担を軽減し、結果として、医用動画像の確認に集中させることができるＸ線画像診断装置を提供する。【解決手段】  所定の時間内に複数回のＸ線撮影を行うことにより連続して得られる複数のＸ線透過画像を連続画像として記録する画像記録部９と、前記Ｘ線透過画像のピクセル値に基づいて、前記連続画像の関心区間を設定する関心区間設定処理部１２と、前記設定された関心区間にある複数のＸ線透過画像を連続して表示する表示モニタ１０とを備えた。【選択図】      図１
2006130129.tif 000002
【特許請求の範囲】
【請求項１】
所定の時間内に複数回のＸ線撮影を行うことにより連続して得られる複数のＸ線透過画像を連続画像として記録する記録手段と、
前記Ｘ線透過画像のピクセル値に基づいて、前記連続画像の関心区間を設定する関心区間設定処理手段と、
前記設定された関心区間にある複数のＸ線透過画像を連続して表示する表示手段と、
を備えたことを特徴とするＸ線画像診断装置。
【請求項２】
前記関心区間設定処理手段は、前記Ｘ線透過画像毎にピクセル値を平均化し、その平均化されたピクセル値が所定のピクセル値以上の連続した複数の前記Ｘ線透過画像の集合を関心区間として設定する手段であることを特徴とする請求項１に記載のＸ線画像診断装置。
【請求項３】
所定の時間内に複数回のＸ線撮影を行うことにより連続して得られる複数のＸ線透過画像を連続画像として付帯情報と共に記録する記録手段と、
前記付帯情報に基づいて、前記連続画像の関心区間を設定する関心区間設定処理手段と、
前記設定された関心区間にある複数のＸ線透過画像を連続して表示する表示手段と、
を備えたことを特徴とするＸ線画像診断装置。
【請求項４】
前記付帯情報は、造影剤の注入に関する情報であることを特徴とする請求項３に記載のＸ線画像診断装置。
【請求項５】
前記付帯情報は、前記被検体内に造影剤の注入が開始されるときの開始時刻情報と、被検体内に造影剤の注入が終了したときの終了時刻情報であって、前記関心区間設定処理手段は、前記Ｘ線透過画像に関連付けられた前記付帯情報に基づいて、前記開始時刻情報に含まれる開始時刻から前記終了時刻情報に含まれる終了時刻の間の複数の前記Ｘ線透過画像の集合を関心区間として設定する手段であることを特徴とする請求項４に記載のＸ線画像診断装置。
【請求項６】
所定の時間内に複数回のＸ線撮影を行うことにより連続して得られる複数のＸ線透過画像を連続画像として記録する記録手段と、
前記複数のＸ線透過画像のうち、１つのＸ線透過画像を特定する特定手段と、
前記特定されたＸ線透過画像に基づいて、前記連続画像の関心区間を設定する関心区間設定処理手段と、
前記設定された関心区間にある複数のＸ線透過画像を連続して表示する表示手段と、
を備えたことを特徴とするＸ線画像診断装置。
【請求項７】
前記関心区間設定処理手段は、前記特定手段により、代表画像として特定されたＸ線透過画像を基準として、予め設定された時間分及び／又はフレーム数分の前後の連続した複数の前記Ｘ線透過画像の集合を関心区間として設定する手段であることを特徴とする請求項６に記載のＸ線画像診断装置。
【発明の詳細な説明】
【技術分野】
【０００１】
本発明は、被検体にＸ線を透過させて撮影された動画像を再生する機能を備えたＸ線画像診断装置に関するものである。
【背景技術】
【０００２】
従来より、Ｘ線画像診断装置を使用するＸ線検査の実施に当たっては、検査の進行に沿って複数回の画像収集を行い、その結果得られる複数個のＸ線画像を当該装置内に保管し、このように画像収集及び保管された複数個の画像の中から特定の画像を操作者の選択に基づき画面上に表示させ、その操作者が希望する画像を提供することにより、検査の支援を行うようになっている。
【０００３】
このような検査支援を行うＸ線画像診断装置において、複数個の画像の中から特定の画像を操作者が選択するための手段としては、一般には、操作者の操作によって画像収集された順番又はその逆順に画像を順次表示させるものが利用される。
【０００４】
ここで、１回の画像収集で得られる画像が１枚のＸ線画像ではなく、循環器検査で扱う動画などの複数フレームの画像からなる連続画像（フレーム画像）である場合、上記手段を適用して収集画像を切り替えることにより連続画像中の所定の１フレームを表示させる方法を採用するのが一般的である。なお、以下の説明では、便宜上、上記のような連続画像を対象とし、その連続画像中の特定の１フレームを連続画像の「代表画像」と呼ぶことにする。
【０００５】
そして、従来のＸ線画像診断装置には、被検体にＸ線を透過させて撮影された動画像を再生する際の操作として、関心のある連続画像（例えば、造影剤注入時の画像）をユーザが区間指定して、その部分だけを再生する区間再生機能が備えられていた。
【０００６】
ここで、「関心区間再生機能」とは、動画像において、ユーザが関心のある区間（関心区間）のみを指定して、その部分（関心区間）だけを再生する機能である。そして、その関心区間を指定する方法は以下の順序で操作が行われていた。
【０００７】
（１）代表画像をユーザが表示装置を参照しながら選択する。
（２）「再生開始位置の設定」として、前記代表画像からフレーム毎に収集画像を参照しながら再生を開始したいフレームの画像を特定する。
（３）「再生終了位置の設定」として、前記代表画像又は再生開始に特定されたフレームの画像から、フレーム毎に収集画像を参照しながら再生を終了したいフレームの画像を特定する。
【０００８】
また、医用診断装置として、ＥＣＧ（Ｅｌｅｃｔｒｏ  Ｃａｒｄｉｏ  Ｇｒａｍ：心電図）のような生体信号に連動させた「心電同期」によって再生区間を設定する機能を備えた超音波診断装置もあるが、ＥＣＧのデータが必要になるだけでなく、区間設定される画像も限定されていた（例えば、特許文献１）。
【０００９】
【特許文献１】特開平８−２３８２４２号公報
【発明の開示】
【発明が解決しようとする課題】
【００１０】
前記関心区間の設定にあたっては、ユーザは、関心領域（ＲＯＩ）付近のおおまかな区間を再生したい場合が多い。しかしながら、関心区間を設定する場合には、上記のような煩雑な手順が毎回必要であった。すなわち、所望の画像の前後のあるフレーム（動画を構成する1つ1つの画像）といった曖昧な箇所の頭出し操作を行う場合は、やはり、医用動画像の最初（検査開始時）から、早送り、巻戻し、停止、再生等の複数の組み合わせ操作が必要であった。
【００１１】
本発明は、以上の問題点に鑑みてなされたものであって、その目的は、ユーザが医用動画像を確認する際、各フレームを参照しながら関心区間を設定するといった煩雑な手順を行うことなく、操作手順を大幅に簡略化し、ユーザの操作負担を軽減し、結果として、動画像の確認に集中させることができるＸ線画像診断装置を提供することにある。
【課題を解決するための手段】
【００１２】
上記課題を解決するための、請求項１記載の発明は、所定の時間内に複数回のＸ線撮影を行うことにより連続して得られる複数のＸ線透過画像を連続画像として記録する記録手段と、前記Ｘ線透過画像のピクセル値に基づいて、前記連続画像の関心区間を設定する関心区間設定処理手段と、前記設定された関心区間にある複数のＸ線透過画像を連続して表示する表示手段とを備えたことを特徴とする。
【００１３】
上記課題を解決するための、請求項２記載の発明は、請求項１に記載のＸ線画像診断装置において、前記関心区間設定処理手段は、前記Ｘ線透過画像毎にピクセル値を平均化し、その平均化されたピクセル値が所定のピクセル値以上の連続した複数の前記Ｘ線透過画像の集合を関心区間として設定する手段であることを特徴とする。
【００１４】
上記課題を解決するための、請求項３記載の発明は、所定の時間内に複数回のＸ線撮影を行うことにより連続して得られる複数のＸ線透過画像を連続画像として付帯情報と共に記録する記録手段と、前記付帯情報に基づいて、前記連続画像の関心区間を設定する関心区間設定処理手段と、前記設定された関心区間にある複数のＸ線透過画像を連続して表示する表示手段とを備えたことを特徴とする。
【００１５】
上記課題を解決するための、請求項４記載の発明は、請求項３に記載のＸ線画像診断装置において、前記付帯情報は、造影剤の注入に関する情報であることを特徴とする。
【００１６】
上記課題を解決するための、請求項５記載の発明は、請求項４に記載のＸ線画像診断装置において、前記付帯情報は、前記被検体内に造影剤の注入が開始されるときの開始時刻情報と、被検体内に造影剤の注入が終了したときの終了時刻情報であって、前記関心区間設定処理手段は、前記Ｘ線透過画像に関連付けられた前記付帯情報に基づいて、前記開始時刻情報に含まれる開始時刻から前記終了時刻情報に含まれる終了時刻の間の複数の前記Ｘ線透過画像の集合を関心区間として設定する手段であることを特徴とする。
【００１７】
上記課題を解決するための、請求項６記載の発明は、所定の時間内に複数回のＸ線撮影を行うことにより連続して得られる複数のＸ線透過画像を連続画像として記録する記録手段と、前記複数のＸ線透過画像のうち、１つのＸ線透過画像を特定する特定手段と、前記特定されたＸ線透過画像に基づいて、前記連続画像の関心区間を設定する関心区間設定処理手段と、前記設定された関心区間にある複数のＸ線透過画像を連続して表示する表示手段とを備えたことを特徴とする。
【００１８】
上記課題を解決するための、請求項７記載の発明は、請求項６に記載のＸ線画像診断装置において、前記関心区間設定処理手段は、前記特定手段により、代表画像として特定されたＸ線透過画像を基準として、予め設定された時間分及び／又はフレーム数分の前後の連続した複数の前記Ｘ線透過画像の集合を関心区間として設定する手段であることを特徴とする。
【発明の効果】
【００１９】
本発明によれば、ユーザが動画像を確認する際、各フレームを参照しながら区間再生を設定するといった煩雑な手順を行うことがないので、操作手順を大幅に簡略化し、ユーザの操作負担を軽減し、結果として、連続動画像の確認に集中させることができる。
【発明を実施するための最良の形態】
【００２０】
以下、本発明の実施形態につき、図面を参照して説明する。
【００２１】
（第１の実施形態）
図１は、Ｘ線画像診断装置の第１の実施形態の構成を示すブロック図である。
【００２２】
図１に示すように、診断用寝台１上の被検体ＯＢを挟んで対向配置されるＸ線管２及びＸ線検出部３と、そのＸ線管２にＸ線照射用の高電圧を供給するＸ線高電圧発生装置４と、このＸ線高電圧発生装置４に各種撮影条件等を指示するＸ線画像撮影操作部５と、Ｘ線検出部３により検出されたＸ線データ（Ｘ線透過像）を連続的にデジタル収集し、動画像再生するＸ線画像診断装置６とを備えたＸ線画像診断システムにおいて実施される。
【００２３】
Ｘ線画像診断装置６には、Ａ／Ｄ変換器７、画像処理部８、画像記録部９、表示モニタ１０、画像操作部１１、関心区間設定処理部（本請求項にいう関心区間設定処理手段）１２が搭載されている。また、図示していないが、Ｘ線画像診断装置６には、被検者ＯＢに造影剤を投与する造影剤投与器が設置されている。
【００２４】
Ｘ線検出部３は、どのような形態および方式を採用してもよく、イメージインテンシファイア装置の出力をＴＶカメラで撮影する方式でも半導体固体検出器を使用して透過Ｘ線を検出する方式でもよい。
【００２５】
Ｘ線画像診断装置６は、図１に示すシステムの場合、Ｘ線高電圧発生装置４、Ｘ線検出部３と分離して構成しているが、これに限らず、Ｘ線高電圧発生装置４及びＸ線検出部３の両方又はその一方を含む構成でももちろん構わない。
【００２６】
上記の構成によって、操作者（ユーザ）からの撮影開始の操作がＸ線画像撮影操作部５にて行われると、Ｘ線高電圧発生装置４からの高電圧を受けてＸ線管２が寝台１上の被検体ＯＢに向けてＸ線をパルス状に断続的に照射し始める。
【００２７】
このように照射されたＸ線は、被検体ＯＢを透過し、その透過Ｘ線がＸ線検出部３に入射する。このＸ線検出部３に入射した透過Ｘ線は、Ｘ線のパルス照射に同期してＸ線画像診断装置６によってデジタルデータ化される。
【００２８】
このとき、Ｘ線画像診断装置６においては、Ａ／Ｄ変換器７にて１つのパルスに対して１フレームのデジタルデータが生成され、このデジタルデータが画像処理部８を介して表示モニタ１０に表示されると共に画像記録部９に記録される。ここでのデジタルデータは最初のパルスＸ線照射のものである。それ以後、同様の断続的なパルスＸ線照射により一連のデジタルデータが作成され、画像記録部９に記録されていく。
【００２９】
そして、操作者からの撮影終了の操作がＸ線画像撮影操作部５にて行われるか、或いはＸ線画像撮影操作部５で予め設定した回数のＸ線照射が完了した時点で、上記のＸ線照射が終了する。その結果、それまでに発生した一連のデジタルデータは、連続画像のデータとしてＸ線画像診断装置６の画像記録部９に保管、管理される。
【００３０】
このとき、画像記録部９には各連続画像の諸元を示す情報（例えば、当該連続画像が撮影開始から何フレームであるかの情報や、当該連続画像が撮影された時刻の情報）も保管、管理される。
【００３１】
また、画像処理部８が、造影剤が写っていないデジタルのＸ線透視画像をマスク像、造影剤が写っているデジタルのＸ線透視画像をライブ像として、これらマスク像とライブ像とを撮影してデジタル信号に変換し、マスク像とライブ像とをサブトラクションして、例えば、血管などの注目部位だけを抽出したサブトラクション画像が、１画面を構成する画像情報であるフレーム画像として画像記録部９に保管される。
【００３２】
（関心区間の設定）
関心区間設定処理部１２は、前記フレーム画像を画像記録部９に保管する際に、前記サブトラクション画像の各々についてピクセル値（画像の濃淡）を抽出し、サブトラクション画像毎の平均ピクセル値を算出する。そして、予め設定された閾値よりも大きな平均ピクセル値のサブトラクション画像が何フレーム目の画像であるかを抽出する。なお、関心区間設定処理部１２は、前記サブトラクション画像の各々についてピクセル値を抽出するピクセル値抽出機能、サブトラクション画像毎の平均ピクセル値を算出する平均ピクセル値算出機能、予め設定された閾値よりも大きな平均ピクセル値のサブトラクション画像が何フレーム目の画像であるかを抽出し、それによって特定されたフレーム区間を関心区間として画像記録部９に保管する設定機能及び、表示モニタ１０に区間表示するための関心区間の情報を画像記録部９から読み出す読み出し機能とを構成する。また、連続動画像の再生とは、前記連続画像（連続したフレーム画像）を動画像として再生することである。
【００３３】
すなわち、造影剤により画像が黒めになっているサブトラクション画像が連続している区間を探して、それら連続したサブトラクション画像の集合を関心区間と設定するのである。
【００３４】
例えば、図２に示すようなフレーム画像が画像記録部９に保管されていた場合、図中Ｆ１〜Ｆ６のフレーム画像のうち、Ｆ１〜Ｆ２及びＦ６のフレーム画像はマスクフレームに対してピクセル値に差がほとんど無いが、Ｆ３〜Ｆ５のフレーム画像はマスクフレームに対してピクセル値に差があるので、この区間（Ｆ３〜Ｆ５）を関心区間設定処理部１２が関心区間に設定するのである。
【００３５】
関心区間の設定の具体的なプロセスとしては、図３に示すように、まず、ｎフレーム目のフレーム画像におけるピクセル値の平均を関心区間設定処理部１２が算出する（Ｓ１１）。
【００３６】
次に、関心区間設定処理部１２は、各フレーム画像において、算出された平均ピクセル値から閾値を差し引く（Ｓ１２）。ここで、前記閾値は、１検査における全フレーム画像の平均ピクセル値又は、ユーザによって予め定められた値とする。
【００３７】
その後、関心区間設定処理部１２は、１検査における全フレーム画像についてＳ１２の処理を行う（Ｓ１３−Ｙｅｓ）と、前記平均ピクセル値が前記閾値に達し、連続している複数のフレーム画像の集合を関心区間として抽出する（Ｓ１４）。
【００３８】
図４は、連続したフレーム画像毎の平均ピクセル値をフレーム順に表した図である。図４に示すように、フレーム画像がフレーム番号１から５０の付帯情報で記録されているとすると、予め設定された閾値を越える平均ピクセル値を呈するフレーム番号１６〜４０の画像が関心区間として関心区間設定処理部１２に設定されるのである。
【００３９】
このとき、前記フレーム番号１６〜４０の画像は、連続して前記閾値を超えたピクセル値を呈しているので問題はないが、例えば、前記フレーム番号１６〜４０の画像のうち、数フレーム（例えば、フレーム番号２０〜２３）の画像の平均ピクセル値が前記閾値よりも下であったとしても、無視しうる範囲であれば、前記フレーム番号１６〜４０の画像が連続して前記閾値を越える平均ピクセル値であるとみなしてよい。また、フレーム８，９及び４８，４９でも閾値を超えているが、この場合には最も長い（フレーム数の多い）区間を関心区間とするとよい。
【００４０】
なお、サブトラクション画像を作成する際のマスク像はユーザが指定したものが使用されるが、フレーム毎にマスク像が異なる場合には、各コントラスト像に対応するマスク像が採用される。
【００４１】
また、本実施形態の他の例として、連続するフレーム画像の平均ピクセル値同士で所定以上の濃淡差を関心区間設定処理部１２が抽出し、１つ前のフレーム画像よりも「所定以上に濃淡差が増加」したフレーム画像（図２におけるフレーム画像Ｆ３、図４におけるフレーム番号１６の画像）を関心区間の開始フレーム画像とし、１つ前のフレーム画像よりも「所定以上に濃淡差が減少」した直前のフレーム画像（図２におけるフレーム画像Ｆ５、図４におけるフレーム番号４０の画像）を関心区間の終了フレーム画像として関心区間（図２におけるフレーム画像Ｆ３〜フレーム画像Ｆ５の区間、図４におけるフレーム番号１６〜４０の画像の区間）を設定してもよい。
【００４２】
このようにして、関心区間設定処理部１２により関心区間が設定されると、ユーザが画像操作部１１を操作したことを契機に、設定された関心区間のフレーム画像が表示モニタ１０に表示される。
【００４３】
（第２の実施形態）
次に、本発明に係るＸ線画像診断装置の第２の実施形態について図面を参照して説明する。なお、本実施形態の説明においては、前述の第１の実施の形態と同様の構成なので、構成及びその他重複する説明は省略する。従って、ここでは、本実施形態における関心区間設定処理部による関心区間の設定方法について説明する。
【００４４】
本実施形態は、医療画像情報の標準記録方式として国内外で普及している、ＤＩＣＯＭ（Ｄｉｇｉｔａｌ  Ｉｍａｇｅ  Ｃｏｍｍｕｎｉｃａｔｉｏｎｓ  ｉｎ  Ｍｅｄｉｃｉｎｅ）規格を用いた場合、関心区間設定処理部１２が、ＤＩＣＯＭタグに記録されているインジェクションタイムを参照し、それからフレーム数を計算し、それによって特定された画像群を関心区間とする。
【００４５】
例えば、ＤＩＣＯＭタグのインジェクションタイムの情報として、「（００１８，１０４２）造影剤／ボーラス開始時刻」及び「（００１８，１０４３）造影剤／ボーラス終了時刻」のそれぞれに関連付けられた数値（時刻情報）を取得し、それらの数値に対応するフレーム画像（造影開始時のフレーム画像及び造影終了時のフレーム画像）を特定し、関心区間を設定する。
【００４６】
図５に示すようなフレーム画像が画像記録部９に保管されていた場合、図中Ｆ１〜Ｆ６のフレーム画像のうち、関心区間設定処理部１２が取得した造影剤の注入開始時刻が、フレーム画像Ｆ１に付帯した時刻情報とフレーム画像Ｆ２に付帯した時刻情報との間であり、かつ、関心区間設定処理部１２が取得した造影剤の注入終了時刻が、フレーム画像Ｆ４に付帯した時刻情報とフレーム画像Ｆ５に付帯した時刻情報との間であった場合、この区間（Ｆ２〜Ｆ４）を関心区間設定処理部１２が関心区間に設定するのである。
【００４７】
なお、ＤＩＣＯＭタグとして記録される、造影剤開始時刻及び造影剤終了時刻と、実際の注入時刻とは多少差が発生することが予想されるため、予めユーザが設定したパラメータにより前記差を調整する機能を備えることが望ましい。
【００４８】
具体的には、図５に示すように、実際に造影剤の注入が画像上で確認されるのがフレーム画像Ｆ３〜フレーム画像Ｆ５の区間であるにもかかわらず、検査装置の特性等の影響で、造影剤開始時刻及び造影剤終了時刻の取得によって、関心区間をフレーム画像Ｆ２〜フレーム画像Ｆ４と設定することがある。このような場合には、装置の特性に応じて、関心区間（Ｆ２〜Ｆ４）を関心区間（Ｆ３〜Ｆ５）に調整できるような調整手段を備えることが望ましい。
【００４９】
関心区間の設定の具体的なプロセスとしては、図６に示すように、まず、関心区間設定処理部１２が、ＤＩＣＯＭタグより「造影剤開始時刻」を取得し（Ｓ２１）、その後にＤＩＣＯＭタグより「造影剤終了時刻」を取得する（Ｓ２２）。
【００５０】
次に、当該システムの特性（インジェクタの接続状態など）によって、前記「造影剤開始時刻」及び「造影剤終了時刻」の値が表示モニタ１０に造影剤が実際に表示される時刻とずれることを補正するために、当該システムに応じたユーザパラメータ（補正値）を画像操作部１１を用いて入力する（Ｓ２３）。
【００５１】
次に、関心区間設定処理部１２は、撮影時のフレームレートをＤＩＣＯＭタグから取得し（Ｓ２４）、前記「造影剤開始時刻」及び「造影剤終了時刻」から該当するフレーム画像を各々（造影開始時のフレーム画像及び造影終了時のフレーム画像）特定する（Ｓ２５）。
【００５２】
その後、関心区間設定処理部１２は、前記ユーザパラメータ（補正値）を、特定された造影開始時のフレーム画像及び造影終了時のフレーム画像に反映させて連続する複数のフレーム画像の集合を関心区間として抽出する（Ｓ２６）。
【００５３】
（第３の実施形態）
次に、本発明に係るＸ線画像診断装置の第３の実施形態について図面を参照して説明する。なお、本実施形態の説明においては、前述の第１の実施の形態及び第２の実施形態と同様の構成なので、構成及びその他重複する説明は省略する。従って、ここでは、本実施形態における関心区間設定処理部による関心区間の設定方法について説明する。
【００５４】
本実施形態は、例えば、図７に示すようなフレーム画像（Ｆ１〜Ｆ６）が画像記録部９に保管されていた場合、代表画像（図中、カレントフレームと表示）を特定し、その代表画像を基準として、所定の時間の前後のフレーム画像を関心区間に自動的に設定するものである。
【００５５】
ここで、代表画像を選択する方法としては、画像操作部１１に次のフレーム画像を表示させるボタン及び前のフレーム画像を表示させるボタン等の所定の操作ボタンを配置し、あるフレーム画像を表示している状態で、次のフレーム画像を表示させるボタンを操作することで時間的に次に撮影されたフレーム画像を表示させ、また、前のフレーム画像を表示させるボタンを操作することで時間的に前に撮影されたフレーム画像を表示させる方式を採用することが可能である。
【００５６】
そして、代表画像の特定がなされたとき（例えば、「代表画像決定ボタン」を画像操作部１１に配設し、それが押下されたとき）、関心区間設定処理部１２は、予め設定された時間又はフレーム数に基づいて前記代表画像の前後のフレーム画像を特定し、それらのフレーム画像によって関心区間が設定される。
【００５７】
例えば、代表画像が特定されたときに、フレーム間隔が２．５秒で、前後５秒間のフレーム画像が関心区間とするように関心区間設定処理部１２に予め設定されており、図７に示すように、連続するフレーム画像Ｆ１〜Ｆ６のうち、代表画像をＦ４と設定した場合、前記代表画像として特定されたフレーム画像Ｆ４の５秒前のフレーム画像Ｆ２が関心区間の開始フレーム画像となり、代表画像Ｆ４の５秒後のフレーム画像Ｆ６が関心区間の終了フレーム画像となり、関心区間設定処理部１２により、関心区間はフレーム画像Ｆ２〜Ｆ６として設定されることとなる。
【００５８】
関心区間の設定の具体的なプロセスとしては、図８に示すように、まず、代表画像に係るフレーム画像を関心区間設定処理部１２が取得する（Ｓ３１）。
【００５９】
次に、関心区間設定処理部１２が、第１のユーザ設定値として代表画像からどのくらい前のフレーム画像を関心区間の開始画像とするかを入力要求する（Ｓ３２）と共に、第２のユーザ設定値として代表画像からどのくらい後のフレーム画像を関心区間の終了画像とするかを入力要求する（Ｓ３３）。
【００６０】
次に、関心区間設定処理部１２は、撮影時のフレームレートをＤＩＣＯＭタグから取得する（Ｓ３４）。
【００６１】
次に、関心区間設定処理部１２は、前記フレームレートと、前記第１のユーザ設定値及び第２のユーザ設定値から指定時間分のフレーム数を演算する（Ｓ３５）。
【００６２】
このようにして演算された、代表画像からの前後のフレーム数により、「関心区間開始時のフレーム画像」と「関心時間終了時のフレーム画像」を特定して、連続する複数のフレーム画像の集合としての関心区間が設定される（Ｓ３６）。
【００６３】
上述の実施形態は、本発明の一例であり、本発明は上記実施の形態に限定されることはない。上述の実施の形態では、医療診断装置としてＸ線画像診断装置を例に説明したが、連続的な動画像を取得し、それら動画像に基づいて上記の如く関心区間を設定可能な医療診断装置であれば、同様に適用でき、本発明によって得られる効果と同様な効果を得ることができる。また、この他であっても、本発明に係る技術的思想を逸脱しない範囲であれば、設計等に応じて種々の変更が可能である。
【図面の簡単な説明】
【００６４】
【図１】本発明に係るＸ線画像診断装置の実施形態の構成を示すブロック図。
【図２】本発明に係るＸ線画像診断装置の第１の実施形態において関心区間が設定される連続したフレーム画像を示す図。
【図３】本発明に係るＸ線画像診断装置の第１の実施形態において関心区間を設定されるプロセスを示すフローチャート。
【図４】本発明に係るＸ線画像診断装置の第１の実施形態において関心区間を設定するための各フレームとピクセル値と閾値との関係を示す図。
【図５】本発明に係るＸ線画像診断装置の第２の実施形態において関心区間が設定される連続したフレーム画像を示す図。
【図６】本発明に係るＸ線画像診断装置の第２の実施形態において関心区間を設定されるプロセスを示すフローチャート。
【図７】本発明に係るＸ線画像診断装置の第３の実施形態において関心区間が設定される連続したフレーム画像を示す図。
【図８】本発明に係るＸ線画像診断装置の第３の実施形態において関心区間を設定されるプロセスを示すフローチャート。
【符号の説明】
【００６５】
１  診察用寝台
２  Ｘ線管
３  Ｘ線検出部
４  Ｘ線高電圧発生装置
５  Ｘ線画像撮影操作部
６  Ｘ線画像診断装置
７  Ａ／Ｄ変換器
８  画像処理部
９  画像記録部
１０  表示モニタ
１１  画像操作部
１２  関心区間設定処理部
【図１】
2006130129.tif 000003
【図２】
2006130129.tif 000004
【図３】
2006130129.tif 000005
【図４】
2006130129.tif 000006
【図５】
2006130129.tif 000007
【図６】
2006130129.tif 000008
【図７】
2006130129.tif 000009
【図８】
2006130129.tif 000010